(57)【要約】【課題】  本発明は、洗米時に炊飯器の内釜体やボウル等の上側部に取付けて米研ぎ作業のし易い実用性の高い洗米流出防止具を提供することを目的とする。【解決手段】  本発明は、全体が多数の縦状排水孔２を有する略半円形状に成る弾性基盤１を設け、この弾性基盤の背面部適所に対象物への取付手段１１，１２を設置し、このように成る取付手段を対象物の内側上部に取付けて成るものである。また、全体が多数の縦状排水孔２を有する略半円形状に成る弾性基盤１を設け、この弾性基盤の上部及び下部にそれぞれ通孔を設け、前記弾性基盤に設けた通孔にそれぞれ取付突子９及び摘み片１０を挿入する吸着盤８を設置するものである。【選択図】    図５
2006068268.tif 000002
【特許請求の範囲】
【請求項１】
全体が多数の縦状排水孔を有する略半円形状に成る弾性基盤を設け、この弾性基盤の背面部適所に対象物への取付手段を設置して成ることを特徴とする洗米流出防止具。
【請求項２】
全体が多数の縦状排水孔を有する略半円形状に成る弾性基盤を設け、この弾性基盤の背面部に掛止め部材を設置して成る請求項１に記載した洗米流出防止具。
【請求項３】
全体が多数の縦状排水孔を有する略半円形状に成る弾性基盤を設け、この弾性基盤の任意位置に任意形状の通孔を設け、前記弾性基盤に設けた各通孔に取付突子及び摘み片を挿入する吸着盤を設置して成る請求項１に記載した洗米流出防止具。
【請求項４】
全体が多数の縦状排水孔を有する略半円形状に成る弾性基盤を設け、この弾性基盤の上側位置には周囲に突壁を形成した長孔を設けるとともに下側位置には周囲に突壁を形成したひょうたん孔を設け、前記弾性基盤に設けた前記ひょうたん孔に取付突子を挿入するとともに前記長孔に摘み片を挿入する吸着盤を設置して成る請求項１に記載した洗米流出防止具。
【発明の詳細な説明】
【技術分野】
【０００１】
本発明は、洗米時に炊飯器の内釜体やボウル等の上側部に取付けて研ぎ米の流出を阻止するための洗米流出防止具に関するものである。
【背景技術】
【０００２】
従来、例えばボウルや炊飯器の内釜体を使用して洗米するときは、研ぎ水を捨てる際に米の動きに細心の注意を払いながらゆっくりと水を流していたが、時間と手数のかかる作業であった。
【０００３】
これを改善することを目的に、炊飯器の内釜体に取付けるものとして特開２００１−１９０４０３号のごときものが知られているが、弾性基盤を内釜体から取外しにくい等の実用性に欠けるものであった。
【０００４】
【特許文献１】特開２００１−１９０４０３号公報
【発明の開示】
【発明が解決しようとする課題】
【０００５】
そこで、本発明は、米研ぎ作業のし易い実用性の高い洗米流出防止具を提供することを目的とするものである。
【課題を解決するための手段】
【０００６】
本発明は、全体が多数の縦状排水孔を有する略半円形状に成る弾性基盤を設け、この弾性基盤の背面部適所に対象物への取付手段を設置して成るものである。
【０００７】
本発明はまた、全体が多数の縦状排水孔を有する略半円形状に成る弾性基盤を設け、この弾性基盤の任意位置に任意形状の通孔を設け、前記弾性基盤に設けた各通孔に取付突子及び摘み片を挿入する吸着盤を設置し、このように成る吸着盤を対象物の内側上部に取付けるものである。
【発明の効果】
【０００８】
本具を取付けた炊飯器の内釜体を使用して米研ぎを行う場合は、研ぎ終わった米は確実に内釜体内に残留させ、研ぎ水のみを確実に排出することができ、しかも迅速に米の水研ぎ作業を終了することができる。
【０００９】
また、基盤は弾力性を有するものであるから、内釜体の内径寸法に順応して確実に取付けることができる。
【００１０】
この基盤に設ける排水孔は縦形状群に成るから、排水作用がきわめて円滑かつ迅速になされようになる。
【００１１】
さらに、実施例によれば、長孔及び略ひょうたん孔の周囲に設けた突壁によって、研ぎ水が排水される時に米が突壁に遮断されるから、縦状排水孔より比較的大きな開口を有する長孔やひょうたん孔であっても、これらの孔から空間部方向に排出されることが阻止されることになり、安心して研ぎ水の排出を行うことができる。
【発明を実施するための最良の形態】
【００１２】
いま本具を内釜体などの内側上部に取付けたときは、水平形状に成る弾性基盤の上側端縁部分は内釜体の内壁面との間に適度の空間部を形成するようになる。
【００１３】
そこで、このような状態になる内釜体に米と水を入れて研ぐことになるが、研ぎ水を捨てるときは内釜体の底部を持ち上げれば、米は水とともに内壁面に沿って流下し、吸着盤付近に達すると、水のみは弾性基盤の排水孔より内側の空間部に排出し、そのまま内釜体の周縁部より外部に排出され、米は弾性基盤の排水孔の内側部に留保された状態で残留するようになる。
【実施例１】
【００１４】
図１、図２を参照。
【００１５】
１は全体が多数の縦状排水孔２，・・を有する略半円形状に成る弾性基盤で、前記縦状排水孔は縦長の縦棧３と補強用の横棧３'・から成る。
【００１６】
４は前記弾性基盤１の中央部の上側位置に設けた長孔で、この長孔から下側方位置にはひょうたん孔５を設ける。
【００１７】
６は前記長孔４の周囲に形成した突壁で、この突壁は周囲の前記縦状排水孔２を形成する縦棧面よりも高い壁に成る。
【００１８】
７は前記ひょうたん孔５の周囲に形成した突壁で、この突壁は周囲の前記縦状排水孔２を形成する縦棧面よりも高い壁に成る。
【００１９】
前記長孔４及びひょうたん孔５の周囲に設けられた突壁６，７は、米が外部に水とともに流出することを阻止するためのものである。
【００２０】
８は吸着盤で、この吸着盤の背面部には前記ひょうたん孔５に挿入固定する取付突子９及び長孔４に挿入する摘み片１０を設ける。
【００２１】
前記取付突子９は挿入時と固定時にひょうたん孔を下上に位動し、前記摘み片１０は前記長孔４に挿入して突出している。
【００２２】
１３は前記縦状排水孔２・・を有する弾性基盤１と内釜体又はボウルの内側上部との間に形成される空間部で、この空間部を介して洗米排水は外部に流出されるようになる。
【実施例２】
【００２３】
図３乃至図５を参照。
【００２４】
１は全体が多数の縦状排水孔２，・・を有する略半円形状に成る弾性基盤で、この弾性基盤の縦状排水孔間には補強横棧３'・を設ける。
【００２５】
１１は前記弾性基盤１の中央部の上側位置に設けたフック式掛止具で、この掛止具の開閉によって対象物ａの上側部に挾持するようにする。
【００２６】
１３は前記縦状排水孔２・・を有する弾性基盤１と内釜体又はボウルの内側上部との間に形成される空間部で、この空間部を介して洗米排水は外部に流出されるようになる。
【実施例３】
【００２７】
図６、図７を参照。
【００２８】
１は全体が多数の縦状排水孔２，・・を有する略半円形状に成る弾性基盤で、この弾性基盤の縦状排水孔間には補強横棧３'・を設ける。
【００２９】
１２は前記弾性基盤１の中央部の上側位置に設けたクリップ式掛止具で、この掛止具の開閉によって対象物ａの上側部に挾持する。
【００３０】
１３は前記縦状排水孔２・・を有する弾性基盤１と内釜体又はボウルの内側上部との間に形成される空間部で、この空間部を介して洗米排水は外部に流出されるようになる。
【図面の簡単な説明】
【００３１】
【図１】第１実施例の正面図
【図２】図１Ａ−Ａ線の断面図
【図３】第２実施例の正面図
【図４】図３Ｂ−Ｂ線の断面図
【図５】図３例の使用状態図
【図６】第３実施例の正面図
【図７】図６Ｃ−Ｃ線の断面図
【符号の説明】
【００３２】
１                    弾性基盤
２                    縦状排水孔
４                    長孔
５                    ひょうたん孔
６，７                突壁
８                    吸着盤
９                    取付突子
１０                    摘み片
１１                    フック式掛止具
１２                    クリップ式掛止具
１３                    空間部
【図１】
2006068268.tif 000003
【図２】
2006068268.tif 000004
【図３】
2006068268.tif 000005
【図４】
2006068268.tif 000006
【図５】
2006068268.tif 000007
【図６】
2006068268.tif 000008
【図７】
2006068268.tif 000009